(57)【要約】【課題】薬剤師と患者とのコミュニケーションをより適切に支援すること。【解決手段】情報処理システム１において、薬局用コンピュータ１０の処方箋データ取得部５１は患者の処方箋のデータを取得する。処方箋データ送信部５２は処方箋のデータをサーバ２０に送信する。サーバ２０の変更点取得部１５５は、処方箋のデータと、当該患者の過去の処方箋のデータとに基づいて、過去の処方内容と今回の処方内容とで変更された薬剤に関する変更点薬情を取得する。変更点データ送信部１５６は変更点薬情のデータを薬剤師用端末３０に送信する。薬剤師用端末３０の画面表示部２５４は、変更点薬情のデータに基づいて、変更点薬情を含む処方箋に関連する薬剤の情報を患者に提示するための画面を表示する。操作受付部２５１は画面に入力された操作を受け付ける。画面表示部２５４は、その操作に応じて、薬剤の情報の表示内容を変更する。【選択図】図１
2020064692.tif 000002
【特許請求の範囲】
【請求項１】
薬局に設置される薬局用コンピュータと、薬剤師によって使用される薬剤師用端末と、前記薬局で用いられるデータを管理するサーバとを含む情報処理システムであって、
前記薬局用コンピュータは、
患者の処方箋のデータを取得する処方箋データ取得手段と、
前記処方箋データ取得手段によって取得された前記処方箋のデータを前記サーバに送信する処方箋データ送信手段と、
を備え、
前記サーバは、
前記薬局用コンピュータから送信された前記処方箋のデータと、当該処方箋のデータに対応する前記患者の過去の処方箋のデータとに基づいて、当該患者における過去の処方内容と今回の処方内容とで変更された薬剤に関する変更点薬情を取得する変更点取得手段と、
前記変更点薬情のデータを前記薬剤師用端末に送信する変更点データ送信手段と、
を備え、
前記薬剤師用端末は、
前記サーバから送信された前記変更点薬情のデータに基づいて、前記変更点薬情を含む前記処方箋に関連する薬剤の情報を前記患者に提示するための画面を表示する画面表示手段と、
前記画面表示手段によって表示された前記画面に対して入力された操作を受け付ける操作受付手段と、
を備え、
前記画面表示手段は、前記画面に対して入力された操作に応じて、前記薬剤の情報の表示内容を変更することを特徴とする情報処理システム。
【請求項２】
前記薬剤師用端末は、
前記操作受付手段によって受け付けられた操作の内容を前記サーバに送信する操作内容送信手段を備えることを特徴とする請求項１に記載の情報処理システム。
【請求項３】
前記サーバは、
前記操作内容送信手段によって送信された操作の内容に基づいて、前記変更点薬情を含む前記患者への提供文書の出力用データを生成する出力用データ生成手段と、
前記出力用データ生成手段によって生成された前記出力用データを前記薬局用コンピュータに送信する出力用データ送信手段と、
を備え、
前記薬局用コンピュータは、
前記サーバから送信された前記出力用データに基づいて、前記患者に受け渡す媒体として、前記提供文書を出力する出力制御手段を備えることを特徴とする請求項２に記載の情報処理システム。
【請求項４】
前記サーバは、
前記薬剤師のプロフィールのデータと、前記患者の属性とに基づいて、前記患者に提示するための前記薬剤師のプロフィール画面のデータを生成するプロフィール画面データ生成手段と、
前記プロフィール画面のデータを前記薬剤師用端末に送信するプロフィール画面データ送信手段と、
を備え、
前記薬剤師用端末の前記画面表示手段は、前記サーバから送信された前記プロフィール画面のデータに基づいて、前記薬剤師の前記プロフィール画面を表示することを特徴とする請求項１から３のいずれか１項に記載の情報処理システム。
【請求項５】
前記プロフィール画面データ生成手段は、前記薬剤師のプロフィールのデータのうち、前記患者の属性と共通するデータを選択して、前記薬剤師の前記プロフィール画面のデータを生成することを特徴とする請求項４に記載の情報処理システム。
【請求項６】
前記画面表示手段は、前記患者の処方箋に含まれる薬剤の服用スケジュールを含む当該患者に関するスケジュールの画面を表示し、
前記操作受付手段は、前記スケジュールの画面に対して入力された操作を受け付け、
前記操作内容送信手段は、前記操作受付手段によって受け付けられた前記スケジュールの画面に対する操作の内容を前記サーバに送信することを特徴とする請求項２または３に記載の情報処理システム。
【請求項７】
薬局において薬剤師が使用する端末装置であって、
患者における過去の処方内容と今回の処方内容とで変更された薬剤に関する変更点薬情のデータに基づいて、前記変更点薬情を含む処方箋に関連する薬剤の情報を前記患者に提示するための画面を表示する画面表示手段と、
前記画面表示手段によって表示された前記画面に対して入力された操作を受け付ける操作受付手段と、
を備え、
前記画面表示手段は、前記画面に対して入力された操作に応じて、前記薬剤の情報の表示内容を変更することを特徴とする端末装置。
【請求項８】
薬局で用いられるデータを管理するサーバであって、
患者の処方箋のデータと、当該処方箋のデータに対応する前記患者の過去の処方箋のデータとに基づいて、当該患者における過去の処方内容と今回の処方内容とで変更された薬剤に関する変更点薬情を取得する変更点取得手段と、
前記変更点薬情のデータを他の装置に送信する変更点データ送信手段と、
を備えることを特徴とするサーバ。
【請求項９】
薬局において患者に受け渡される媒体であって、
患者における過去の処方内容と今回の処方内容とで変更された薬剤に関する変更点薬情を含む処方箋に関連する薬剤の情報と、前記処方箋に含まれる薬剤の服用スケジュールを含む当該患者に関するスケジュールの情報とが印刷または記憶されていることを特徴とする媒体。
【請求項１０】
薬局において薬剤師が使用する端末装置が実行する情報処理方法であって、
患者における過去の処方内容と今回の処方内容とで変更された薬剤に関する変更点薬情のデータに基づいて、前記変更点薬情を含む処方箋に関連する薬剤の情報を前記患者に提示するための画面を表示する画面表示ステップと、
前記画面表示ステップにおいて表示された前記画面に対して入力された操作を受け付ける操作受付ステップと、
を含み、
前記画面表示ステップでは、前記画面に対して入力された操作に応じて、前記薬剤の情報の表示内容が変更されることを特徴とする情報処理方法。
【請求項１１】
薬局で用いられるデータを管理するサーバが実行する情報処理方法であって、
患者の処方箋のデータと、当該処方箋のデータに対応する前記患者の過去の処方箋のデータとに基づいて、当該患者における過去の処方内容と今回の処方内容とで変更された薬剤に関する変更点薬情を取得する変更点取得ステップと、
前記変更点薬情のデータを他の装置に送信する変更点データ送信ステップと、
を含むことを特徴とする情報処理方法。
【請求項１２】
薬局において薬剤師が使用する端末装置を構成するコンピュータに、
患者における過去の処方内容と今回の処方内容とで変更された薬剤に関する変更点薬情のデータに基づいて、前記変更点薬情を含む処方箋に関連する薬剤の情報を前記患者に提示するための画面を表示する画面表示機能と、
前記画面表示機能によって表示された前記画面に対して入力された操作を受け付ける操作受付機能と、
を実現させ、
前記画面表示機能は、前記画面に対して入力された操作に応じて、前記薬剤の情報の表示内容を変更することを特徴とするプログラム。
【請求項１３】
薬局で用いられるデータを管理するサーバを構成するコンピュータに、
患者の処方箋のデータと、当該処方箋のデータに対応する前記患者の過去の処方箋のデータとに基づいて、当該患者における過去の処方内容と今回の処方内容とで変更された薬剤に関する変更点薬情を取得する変更点取得機能と、
前記変更点薬情のデータを他の装置に送信する変更点データ送信機能と、
を実現させることを特徴とするプログラム。
【発明の詳細な説明】
【技術分野】
【０００１】
本発明は、情報処理システム、端末装置、サーバ、媒体、情報処理方法及びプログラムに関する。
【背景技術】
【０００２】
従来、調剤薬局において調剤が行われる場合、患者が処方箋を提出し、薬剤師は患者に問診等を行った後に、処方箋に基づく薬剤の調製を行う。そして、薬剤師が患者に対して薬剤に関する説明等を行った後に、患者に薬剤が交付される。
このような調剤行為において、薬剤師と患者とのコミュニケーションを支援する技術として、特許文献１に記載された技術が知られている。
即ち、特許文献１には、被処方者毎の状況（シチュエーション）とその状況に応じて出力すべき服薬関連情報を選択するためのプロトコルに基づき服薬関連情報を出力することにより、薬剤師の能力を問わず、被処方者ごとに適切かつきめ細やかな服薬指導を行うための服薬情報システムが開示されている。
【先行技術文献】
【特許文献】
【０００３】
【特許文献１】特開２０１６−１２２２５３号公報
【発明の概要】
【発明が解決しようとする課題】
【０００４】
しかしながら、特許文献１に記載された技術を含め、従来の技術においては、患者にとって薬剤師は親しみを感じ難いものであり、このことは薬剤師が患者とコミュニケーションを取る上で阻害要因となる場合がある。また、薬剤師から患者に説明された薬剤についての情報（処方薬剤の変更等）を、患者が十分に理解できていないことがあり、患者は薬剤師による説明内容を薬剤の服用時に十分活用できない場合がある。さらに、薬剤が複数処方された場合や薬剤師から患者に特別な指導（日常生活を考慮した服用スケジュールの指導等）が行われた場合等には、薬剤の服用方法が複雑となること等があり、患者は適切に薬剤を服用できない可能性がある。
このように、従来の技術においては、薬剤師と患者とのコミュニケーションを適切に支援することが困難であった。
【０００５】
本発明の課題は、薬剤師と患者とのコミュニケーションをより適切に支援することである。
【課題を解決するための手段】
【０００６】
上記課題を解決するため、本発明の一態様の情報処理システムは、
薬局に設置される薬局用コンピュータと、薬剤師によって使用される薬剤師用端末と、前記薬局で用いられるデータを管理するサーバとを含む情報処理システムであって、
前記薬局用コンピュータは、
患者の処方箋のデータを取得する処方箋データ取得手段と、
前記処方箋データ取得手段によって取得された前記処方箋のデータを前記サーバに送信する処方箋データ送信手段と、
を備え、
前記サーバは、
前記薬局用コンピュータから送信された前記処方箋のデータと、当該処方箋のデータに対応する前記患者の過去の処方箋のデータとに基づいて、当該患者における過去の処方内容と今回の処方内容とで変更された薬剤に関する変更点薬情を取得する変更点取得手段と、
前記変更点薬情のデータを前記薬剤師用端末に送信する変更点データ送信手段と、
を備え、
前記薬剤師用端末は、
前記サーバから送信された前記変更点薬情のデータに基づいて、前記変更点薬情を含む前記処方箋に関連する薬剤の情報を前記患者に提示するための画面を表示する画面表示手段と、
前記画面表示手段によって表示された前記画面に対して入力された操作を受け付ける操作受付手段と、
を備え、
前記画面表示手段は、前記画面に対して入力された操作に応じて、前記薬剤の情報の表示内容を変更することを特徴とする。
【発明の効果】
【０００７】
本発明によれば、薬剤師と患者とのコミュニケーションをより適切に支援することができる。
【図面の簡単な説明】
【０００８】
【図１】本発明の一実施形態に係る情報処理システム１のシステム構成を示す図である。
【図２】各装置を構成する情報処理装置８００のハードウェア構成を示す図である。
【図３】薬局用コンピュータ１０の機能的構成を示すブロック図である。
【図４】サーバ２０の機能的構成を示すブロック図である。
【図５】薬剤師用端末３０の機能的構成を示すブロック図である。
【図６】薬局用コンピュータ１０が実行する薬情出力処理の流れを示すフローチャートである。
【図７】サーバ２０が実行するデータ生成処理の流れを示すフローチャートである。
【図８】薬剤師用端末３０が実行するコミュニケーション支援処理の流れを示すフローチャートである。
【図９】コミュニケーション支援処理において表示される初期画面の一例を示す模式図である。
【図１０】薬剤師のプロフィール画面の一例を示す模式図である。
【図１１】アンケート画面の一例を示す模式図である。
【図１２】アンケートに対する回答が行われた状態の一例を示す模式図である。
【図１３】変更点薬情の内容を示す表示画面の一例を示す模式図である。
【図１４】図１３に示す表示画面において、薬剤師が患者に処方内容を説明するための操作を行った状態の一例を示す模式図である。
【図１５】一覧表示された項目の配置が変更される状態の一例を示す模式図である。
【図１６】患者に提示されるスケジュールの一例を示す模式図である。
【図１７】スタンプのデータを入力するためのインターフェース画面の一例を示す模式図である。
【図１８】手書き文字を入力するためのインターフェース画面の一例を示す模式図である。
【図１９】新規の予定を登録するためのインターフェース画面の一例を示す模式図である。
【図２０】既に入力された予定を編集するためのインターフェース画面の一例を示す模式図である。
【図２１】任意の相談事項を受け付ける旨のメッセージを表示する画面例を示す模式図である。
【図２２】患者に提供される提供文書（変更点薬情）の一例を示す模式図である。
【図２３】患者に提供される提供文書（変更点薬情）の一例を示す模式図である。
【図２４】患者に提供される提供文書（関連文書）の一例を示す模式図である。
【発明を実施するための形態】
【０００９】
以下、本発明の実施形態について図面を参照して説明する。
【００１０】
本実施形態に係る情報処理システム１は、調剤薬局において薬剤師が患者と対話を行う場合に、薬剤師の所定のプロフィールを表示しながら、薬剤に関する情報を表示することにより、薬剤師に対する患者の興味や親近感を喚起し、より円滑な対話を支援するものである。また、本実施形態に係る情報処理システム１は、患者に発行された処方箋に記載されている情報（処方内容）に関し、薬剤師から当該患者に薬剤についての情報（過去の処方内容と今回の処方内容とにおける処方薬剤の変更等）を説明した場合に、その説明内容を反映させた薬剤情報提供文書（以下、適宜「薬情」と呼ぶ。）を発行することにより、服用時においても、薬剤師から患者への説明内容をより容易に参照できるよう支援するものである。さらに、本実施形態に係る情報処理システム１は、処方された薬剤の服用方法等、薬剤師から患者に説明された内容を患者が把握し易い形態の情報として提示し、患者における適切な薬剤の服用を支援するものである。
以下、具体的な構成について説明する。
【００１１】
［情報処理システム１のシステム構成］
図１は、本発明の一実施形態に係る情報処理システム１のシステム構成を示す図である。
図１に示すように、情報処理システム１は、薬局用コンピュータ１０と、サーバ２０と、薬剤師用端末３０とを含んで構成され、薬局用コンピュータ１０、サーバ２０及び薬剤師用端末３０はネットワーク４０を介して互いに通信可能に構成される。また、薬局用コンピュータ１０及び薬剤師用端末３０は、同一の調剤薬局に設置されている。さらに、本実施形態に係る情報処理システム１は、例えば、所定の地域を単位として運用されるものであり、当該地域に属する複数の調剤薬局に設置された薬局用コンピュータ１０及び薬剤師用端末３０に対して、１つのサーバ２０が設置される。なお、図１においては、説明の便宜のため、薬局用コンピュータ１０及び薬剤師用端末３０をそれぞれ１つのみ示している。
【００１２】
薬局用コンピュータ１０は、ＰＣ（Ｐｅｒｓｏｎａｌ  Ｃｏｍｐｕｔｅｒ）あるいはサーバコンピュータによって構成され、薬歴管理機能及び診療報酬明細書（レセプト）作成機能を備えている。そして、薬局用コンピュータ１０は、患者の処方箋のデータの入力を受け付けて、受け付けた処方箋のデータを蓄積して管理する。また、薬局用コンピュータ１０は、処方箋に基づく患者への調剤について、診療報酬の明細を算出する。さらに、薬局用コンピュータは、薬剤情報提供文書（薬情）及び所定の関連文書を含む患者への提供文書（後述）の印刷データをサーバ２０から受信し、調剤薬局に設置されたプリンタによって、提供文書を印刷する。なお、本実施形態において、薬剤情報提供文書（薬情）は、薬剤の名称、用法、用量、効能、効果、副作用及び相互作用等に関する情報を表す文書または文書に準ずるもの（例えば、手帳に貼付可能なシール等）で構成される。
【００１３】
サーバ２０は、サーバコンピュータによって構成され、薬局用コンピュータ１０によって受け付けられた処方箋のデータを取得し、当該患者に提示される薬剤師のプロフィール画面のデータを生成する。また、サーバ２０は、薬局用コンピュータ１０によって受け付けられた処方箋のデータを蓄積して管理し、当該患者に処方される薬剤の変更点（過去（ここでは前回とする）の処方内容と今回の処方内容とで変更された点）のデータを生成する。この変更点のデータは、薬剤師用端末３０に送信されて画面表示されたり、薬局用コンピュータ１０に送信されて薬情に含めて印刷されたりする。さらに、サーバ２０は、患者それぞれについて、薬剤の服用スケジュール（服薬スケジュール）あるいは来局スケジュール等のスケジュールのデータを管理する。
【００１４】
薬剤師用端末３０は、タブレット端末あるいはノートＰＣによって構成され、サーバ２０によって生成されたプロフィール画面のデータを取得し、薬剤師が患者とのコミュニケーションを行う場合に、薬剤師のプロフィールを表示画面に表示する。また、薬剤師用端末３０は、サーバ２０によって生成された薬剤の変更点のデータを取得し、薬剤師が患者とのコミュニケーションを行う場合に、変更前の薬剤と変更後の薬剤とを対比して表示する。さらに、薬剤師用端末３０は、当該患者について、薬剤の服用スケジュールあるいは来局スケジュール等のスケジュールデータの入力を受け付け、入力されたスケジュールデータをサーバ２０に送信する。
【００１５】
［ハードウェア構成］
次に、情報処理システム１における各装置のハードウェア構成を説明する。
情報処理システム１において、各装置はＰＣ、サーバコンピュータあるいはタブレット端末等の情報処理装置によって構成され、その基本的構成は同様である。
【００１６】
図２は、各装置を構成する情報処理装置８００のハードウェア構成を示す図である。
図２に示すように、各装置を構成する情報処理装置８００は、ＣＰＵ（Ｃｅｎｔｒａｌ  Ｐｒｏｃｅｓｓｉｎｇ  Ｕｎｉｔ）８１１と、ＲＯＭ（Ｒｅａｄ  Ｏｎｌｙ  Ｍｅｍｏｒｙ）８１２と、ＲＡＭ（Ｒａｎｄｏｍ  Ａｃｃｅｓｓ  Ｍｅｍｏｒｙ）８１３と、バス８１４と、入力部８１５と、出力部８１６と、記憶部８１７と、通信部８１８と、ドライブ８１９と、撮像部８２０と、を備えている。
【００１７】
ＣＰＵ８１１は、ＲＯＭ８１２に記録されているプログラム、または、記憶部８１７からＲＡＭ８１３にロードされたプログラムに従って各種の処理を実行する。
ＲＡＭ８１３には、ＣＰＵ８１１が各種の処理を実行する上において必要なデータ等も適宜記憶される。
【００１８】
ＣＰＵ８１１、ＲＯＭ８１２及びＲＡＭ８１３は、バス８１４を介して相互に接続されている。バス８１４には、入力部８１５、出力部８１６、記憶部８１７、通信部８１８、ドライブ８１９及び撮像部８２０が接続されている。
【００１９】
入力部８１５は、各種釦等で構成され、指示操作に応じて各種情報を入力する。
出力部８１６は、ディスプレイやスピーカ等で構成され、画像や音声を出力する。
なお、情報処理装置８００がスマートフォンやタブレット端末として構成される場合には、入力部８１５と出力部８１６のディスプレイとを重ねて配置し、タッチパネルを構成することとしてもよい。
記憶部８１７は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各サーバで管理される各種データを記憶する。
通信部８１８は、ネットワークを介して他の装置との間で行う通信を制御する。
【００２０】
ドライブ８１９には、磁気ディスク、光ディスク、光磁気ディスク、あるいは半導体メモリ等よりなる、リムーバブルメディア８３１が適宜装着される。ドライブ８１９によってリムーバブルメディア８３１から読み出されたプログラムは、必要に応じて記憶部８１７にインストールされる。
撮像部８２０は、レンズ及び撮像素子等を備えた撮像装置によって構成され、被写体のデジタル画像を撮像する。
なお、情報処理装置８００がサーバ２０として構成される場合には、撮像部８２０を省略した構成とすることも可能である。また、情報処理装置８００がタブレット端末として構成される場合には、入力部８１５をタッチセンサによって構成し、出力部８１６のディスプレイに重ねて配置することにより、タッチパネルを備える構成とすることも可能である。
【００２１】
［機能的構成］
次に、情報処理システム１における各装置の機能的構成について説明する。
［薬局用コンピュータ１０の機能的構成］
図３は、薬局用コンピュータ１０の機能的構成を示すブロック図である。
図３に示すように、薬局用コンピュータ１０のＣＰＵ８１１においては、処方箋データ取得部５１と、処方箋データ送信部５２と、患者属性取得部５３と、患者属性送信部５４と、印刷データ受信部５５と、印刷制御部５６とが機能する。また、薬局用コンピュータ１０の記憶部８１７には、処方箋データベース（処方箋ＤＢ）７１と、患者属性データベース（患者属性ＤＢ）７２とが形成される。
【００２２】
処方箋ＤＢ７１には、薬局用コンピュータ１０において受け付けられた処方箋のデータが記憶される。この処方箋のデータには、患者の氏名、年齢、性別、保険者番号等の患者を識別する情報と、処方箋を発行した医療機関名、医師名、医療機関の連絡先等の医療機関を識別する情報と、処方された薬剤の名称、剤型、用法・用量、ジェネリック医薬品への変更の可否等の処方内容を表す情報とが含まれている。
患者属性ＤＢ７２には、患者の住所、氏名、年齢、性別及び患者個人の特徴を表す情報（患者属性）のデータが記憶される。この患者属性は、薬剤師が患者との対話において取得した情報や、患者がアンケート（ヒアリング）等に回答して提供した情報等によって構成され、例えば、患者の趣味、仕事内容、家族構成、好きな食べ物、好きな色、好きなキャラクター、日常生活において気になること（身体の痛み等、医療と直接的に関係すること、あるいは、子供の進学に関する懸念等、医療と直接的には関係しないこと）等が含まれている。
【００２３】
処方箋データ取得部５１は、患者が持参することにより調剤薬局で受け付けた処方箋の内容を表すデータ（処方箋のデータ）を取得する。本実施形態において、処方箋データ取得部５１は、患者が持参した処方箋の内容を、調剤薬局の薬剤師やオペレータが入力部８１５を介して入力して生成される処方箋のデータを取得する。なお、処方箋が電子データとして発行されている場合、処方箋データ取得部５１は、その処方箋のデータが記憶された記憶媒体からデータを読み出したり、ネットワークを介してデータを受信したりすることにより、処方箋のデータを取得することとしてもよい。
【００２４】
また、処方箋データ取得部５１は、取得した処方箋のデータを処方箋ＤＢ７１に記憶する。なお、処方箋のデータのうち、患者を識別する情報は、新規の患者である場合や患者を識別する情報に変更があった場合等には、患者属性ＤＢ７２にも適宜記憶される。
処方箋データ送信部５２は、処方箋データ取得部５１によって取得された処方箋のデータをサーバ２０に送信する。
【００２５】
患者属性取得部５３は、処方箋のデータに対応する患者の患者属性のデータを取得する。患者属性のデータは、今回の来局以前に、薬剤師が患者と対話を行い、薬剤師が薬剤師用端末３０を用いて入力したり、患者にアンケートを行った結果を調剤薬局の薬剤師やオペレータが入力部８１５を介して入力したりすることにより生成され、患者属性ＤＢ７２に記憶されたものである。
【００２６】
患者属性送信部５４は、患者属性取得部５３によって取得された患者属性のデータをサーバ２０に送信する。
印刷データ受信部５５は、サーバ２０から送信された薬剤情報提供文書（薬情）を含む患者への提供文書の印刷データを受信する。
印刷制御部５６は、印刷データ受信部５５によって受信された印刷データに基づいて、調剤薬局に設置されたプリンタから薬情を含む患者への提供文書を印刷する。
【００２７】
［サーバ２０の機能的構成］
図４は、サーバ２０の機能的構成を示すブロック図である。
図４に示すように、サーバ２０のＣＰＵ８１１においては、処方箋データ受信部１５１と、患者属性受信部１５２と、プロフィール画面データ生成部１５３と、プロフィール画面データ送信部１５４と、変更点取得部１５５と、変更点データ送信部１５６と、操作内容受信部１５７と、印刷データ生成部１５８と、印刷データ送信部１５９とが機能する。また、サーバ２０の記憶部８１７には、薬剤師プロフィールデータベース（薬剤師プロフィールＤＢ）１７１と、処方箋データベース（処方箋ＤＢ）１７２と、患者属性データベース（患者属性ＤＢ）１７３と、薬剤データベース（薬剤ＤＢ）１７４と、薬局別使用薬剤データベース（薬局別使用薬剤ＤＢ）１７５と、変更点薬情データベース（変更点薬情ＤＢ）１７６と、スケジュールデータベース（スケジュールＤＢ）１７７とが形成される。
【００２８】
薬剤師プロフィールＤＢ１７１には、各調剤薬局に所属する薬剤師のプロフィール（薬剤師の写真、氏名、年齢、既婚／未婚の区別、性別、専門分野、地域活動の内容、現在力を入れている分野及び力を入れたきっかけ、薬剤師になった理由、薬剤師になって嬉しかったこと、趣味等）のデータが記憶される。この薬剤師のプロフィールのデータは、各薬剤師が調剤薬局に所属した際に、逐次、入力して記憶される。また、薬剤師の希望等に応じて、薬剤師のプロフィールを適宜変更することも可能である。
【００２９】
処方箋ＤＢ１７２には、各調剤薬局の薬局用コンピュータ１０に記憶されている処方箋ＤＢ７１それぞれのデータが記憶される。即ち、処方箋ＤＢ１７２には、サーバ２０が運用される所定の地域等について、各調剤薬局の処方箋ＤＢ７１のデータが集約して記憶される。
患者属性ＤＢ１７３には、各調剤薬局の薬局用コンピュータ１０に記憶されている患者属性ＤＢ７２それぞれのデータが記憶される。即ち、患者属性ＤＢ１７３には、サーバ２０が運用される所定の地域等について、各調剤薬局の患者属性ＤＢ７２のデータが集約して記憶される。
【００３０】
薬剤ＤＢ１７４には、各種薬剤に関する情報を表すデータが記憶される。例えば、薬剤ＤＢ１７４には、各種薬剤について、添付文書に記載される情報や、薬価に関する情報等のデータが記憶される。
薬局別使用薬剤ＤＢ１７５には、各調剤薬局で調剤に使用されている薬剤を表すデータが記憶される。この薬局別使用薬剤ＤＢ１７５に記憶されるデータは、各調剤薬局において使用される薬剤が切り替えられた場合等には、調剤薬局からの申請に基づいて適宜更新される。
【００３１】
変更点薬情ＤＢ１７６には、患者における前回の処方内容と今回の処方内容とで変更された薬剤に関する情報（以下、適宜「変更点薬情」と呼ぶ。）が記憶される。例えば、変更点薬情ＤＢ１７６には、同一の患者において、前回の処方内容に対して追加された薬剤、前回の処方内容に対して処方中止となった薬剤、あるいは、前回の処方内容に含まれていた薬剤から変更された他の薬剤等に関する情報が変更点薬情として記憶される。
スケジュールＤＢ１７７には、各患者に関するスケジュールのデータが記憶される。このスケジュールのデータは、薬剤師が患者と対話を行い、薬剤師用端末３０を用いて入力した患者の具体的な各種スケジュール（薬剤の服用スケジュールや来局スケジュール等）が反映されたものである。
【００３２】
処方箋データ受信部１５１は、薬局用コンピュータ１０から送信された処方箋のデータを受信する。そして、処方箋データ受信部１５１は、受信した処方箋のデータを処方箋ＤＢ１７２に記憶する。
患者属性受信部１５２は、薬局用コンピュータ１０から送信された患者属性のデータを受信する。そして、患者属性受信部１５２は、受信した患者属性のデータを患者属性ＤＢ１７３に記憶する。
【００３３】
プロフィール画面データ生成部１５３は、薬剤師用端末３０から、薬剤師のプロフィールを患者に提示するためのプロフィール画面の生成が要求された場合に、プロフィール画面の生成対象となる薬剤師のプロフィールのデータと、プロフィール画面の提示を受ける患者の患者属性とを、薬剤師プロフィールＤＢ１７１及び患者属性ＤＢ１７３からそれぞれ読み出す。そして、プロフィール画面データ生成部１５３は、プロフィール画面の生成対象となる薬剤師のプロフィールのデータと、プロフィール画面の提示を受ける患者の患者属性とに基づいて、当該薬剤師のプロフィールを当該患者に提示するためのプロフィール画面のデータを生成する。プロフィール画面データ生成部１５３がプロフィール画面のデータを生成する場合、固定的に表示されるプロフィールの項目と、薬剤師の全てのプロフィールのデータのうち、患者と属性が共通する項目とを選択する。このとき、患者の属性に応じて、プロフィール画面データ生成部１５３が、薬剤師のプロフィール以外の画面の要素（背景、色合い、文字のサイズ、表示枠の種類等）を選択することとしてもよい。
【００３４】
プロフィール画面データ送信部１５４は、プロフィール画面データ生成部１５３によって生成されたプロフィール画面のデータを、プロフィール画面の生成を要求した薬剤師用端末３０に送信する。
変更点取得部１５５は、処方箋データ受信部１５１によって処方箋のデータが受信された場合に、当該処方箋のデータが示す患者における前回の処方箋のデータを処方箋ＤＢ１７２から読み出す。そして、変更点取得部１５５は、処方箋データ受信部１５１によって受信された処方箋のデータと、処方箋ＤＢ１７２から読み出した前回の処方箋のデータとを比較し、当該患者における前回の処方内容と今回の処方内容とで変更された薬剤に関する情報（変更点薬情）を取得する。さらに、変更点取得部１５５は、取得した変更点薬情のデータを変更点薬情ＤＢ１７６に記憶する。なお、薬剤ＤＢ１７４に薬剤の写真（例えばカラー写真）等の画像（包装や薬剤自体の外観等）を記憶しておき、同一の薬剤が処方されているものの、当該患者における前回の処方時と今回の処方時とで、薬剤の包装等に変更があった場合には、薬剤の写真等の画像を変更点薬情に含めることとしてもよい。
【００３５】
変更点データ送信部１５６は、薬剤師用端末３０から特定の患者に関する変更点薬情の送信が要求された場合に、変更点薬情ＤＢ１７に記憶されている変更点薬情のデータを薬剤師用端末３０に送信する。
操作内容受信部１５７は、薬剤師用端末３０において入力された表示画面に対する操作の内容を薬剤師用端末３０から受信する。薬剤師用端末３０において入力された表示画面に対する操作の内容には、例えば、薬情における項目の印刷対象の指定、薬情における項目の配置の変更、薬情における詳細説明の表示の指定、薬情を含む患者への提供文書の印刷指示等が含まれる。これらの操作内容は、薬剤師用端末３０において表示画面に対する操作が行われる毎、あるいは、薬情を含む患者への提供文書の印刷指示が行われた場合にまとめて薬剤師用端末３０からサーバ２０に送信される。
【００３６】
印刷データ生成部１５８は、薬剤師用端末３０からサーバ２０に、薬情を含む患者への提供文書の印刷指示が送信された場合に、当該患者に提供される薬情及び薬剤師から患者に説明された各種内容を記載した所定の関連文書を含む提供文書の印刷データを生成する。例えば、薬情には、変更点薬情を含む薬剤情報が記載され、所定の関連文書には、薬剤師が薬剤師用端末３０において患者に説明した薬剤の服用スケジュールあるいは来局スケジュール等のスケジュールに関する情報が記載される。
印刷データ送信部１５９は、印刷データ生成部１５８によって生成された印刷データを薬局用コンピュータ１０に送信する。
【００３７】
［薬剤師用端末３０の機能的構成］
図５は、薬剤師用端末３０の機能的構成を示すブロック図である。
図５に示すように、薬剤師用端末３０のＣＰＵ８１１においては、操作受付部２５１と、プロフィール画面データ受信部２５２と、変更点データ受信部２５３と、画面表示部２５４と、操作内容送信部２５５とが機能する。
操作受付部２５１は、表示画面に表示されている内容に対して入力される各種操作を受け付ける。例えば、操作受付部２５１は、薬情における項目の印刷対象の指定、薬情における項目の配置の変更、薬情における詳細説明の表示の指定、当該患者に提示されるスケジュールに対する書き込み、薬情を含む患者への提供文書の印刷指示等の操作を受け付ける。
【００３８】
プロフィール画面データ受信部２５２は、サーバ２０から送信されるプロフィール画面のデータを受信する。
変更点データ受信部２５３は、サーバ２０から送信される変更点薬情のデータを受信する。
画面表示部２５４は、薬剤師用端末３０における初期画面（各種メニューの選択画面等）、プロフィール画面のデータに基づくプロフィール画面、変更点薬情のデータに基づく変更点薬情の表示画面、あるいは、患者に関するスケジュールの画面等、各種表示画面をディスプレイに表示する。このとき、画面表示部２５４は、プロフィール画面のデータの生成や、変更点薬情の送信等を適宜サーバ２０に要求することにより、各種表示画面をディスプレイに表示する。
【００３９】
操作内容送信部２５５は、操作受付部２５１によって受け付けられた表示画面に対する操作の内容をサーバ２０に送信する。これらの操作内容は、上述のように、薬剤師用端末３０において表示画面に対する操作が行われる毎、あるいは、薬情を含む患者への提供文書の印刷指示が行われた場合にまとめてサーバ２０に送信される。
【００４０】
［動作］
次に、情報処理システム１の動作を説明する。
【００４１】
［薬局用コンピュータ１０の処理］
図６は、薬局用コンピュータ１０が実行する薬情出力処理の流れを示すフローチャートである。
薬情出力処理は、薬局用コンピュータ１０の入力部８１５を介して薬情出力処理の実行が指示入力されることに対応して開始される。
【００４２】
薬情出力処理が開始されると、ステップＳ１において、処方箋データ取得部５１は、患者が持参することにより調剤薬局で受け付けた処方箋の内容を表すデータ（処方箋のデータ）を取得する。このとき取得された処方箋のデータは、処方箋ＤＢ７１に記憶される。
ステップＳ２において、処方箋データ送信部５２は、処方箋データ取得部５１によって取得された処方箋のデータをサーバ２０に送信する。
ステップＳ３において、処方箋のデータに対応する患者の患者属性のデータを取得する。
ステップＳ４において、患者属性送信部５４は、患者属性取得部５３によって取得された患者属性のデータをサーバ２０に送信する。この後、薬局用コンピュータ１０では、サーバ２０から送信される印刷データの受信を待つ待機状態となる。
【００４３】
ステップＳ５において、印刷データ受信部５５は、サーバ２０から送信された薬剤情報提供文書（薬情）を含む患者への提供文書の印刷データを受信する。
ステップＳ６において、印刷制御部５６は、印刷データ受信部５５によって受信された印刷データに基づいて、調剤薬局に設置されたプリンタから薬情を含む患者への提供文書を印刷する。
ステップＳ６の後、薬情出力処理は終了となる。
【００４４】
［サーバ２０の処理］
図７は、サーバ２０が実行するデータ生成処理の流れを示すフローチャートである。
データ生成処理は、サーバ２０の起動と共に開始され、繰り返し実行される。
【００４５】
データ生成処理が開始されると、ステップＳ１１において、処方箋データ受信部１５１は、薬局用コンピュータ１０から送信された処方箋のデータを受信する。このとき受信された処方箋のデータは、処方箋ＤＢ１７２に記憶される。
ステップＳ１２において、患者属性受信部１５２は、薬局用コンピュータ１０から送信された患者属性のデータを受信する。このとき受信された患者属性のデータは、患者属性ＤＢ１７３に記憶される。
【００４６】
ステップＳ１３において、プロフィール画面データ生成部１５３は、薬剤師用端末３０から、薬剤師のプロフィールを患者に提示するためのプロフィール画面のデータの生成が要求されることに対応して、当該薬剤師のプロフィール画面のデータを生成する。
ステップＳ１４において、プロフィール画面データ送信部１５４は、プロフィール画面データ生成部１５３によって生成されたプロフィール画面のデータを、プロフィール画面の生成を要求した薬剤師用端末３０に送信する。
【００４７】
ステップＳ１５において、変更点取得部１５５は、処方箋データ受信部１５１によって処方箋のデータが受信されることに対応して、処方箋のデータに対応する患者における前回の処方内容と今回の処方内容とで変更された薬剤に関する情報（変更点薬情）を取得する。このとき取得された変更点薬情のデータは、変更点薬情ＤＢ１７６に記憶される。
【００４８】
ステップＳ１６において、変更点データ送信部１５６は、薬剤師用端末３０から特定の患者に関する変更点薬情の送信が要求されることに対応して、変更点薬情ＤＢ１７に記憶されている変更点薬情のデータを薬剤師用端末３０に送信する。この後、サーバ２０では、薬剤師用端末３０から送信される、表示画面に対する操作の内容の受信を待つ待機状態となる。
ステップＳ１７において、操作内容受信部１５７は、薬剤師用端末３０において入力された表示画面に対する操作の内容を薬剤師用端末３０から受信する。
【００４９】
ステップＳ１８において、印刷データ生成部１５８は、薬剤師用端末３０からサーバ２０に、薬情を含む患者への提供文書の印刷指示が送信されることに対応して、当該患者に提供される薬情及び薬剤師から患者に説明された各種内容を記載した所定の関連文書を含む提供文書の印刷データを生成する。
ステップＳ１９において、印刷データ送信部１５９は、印刷データ生成部１５８によって生成された印刷データを薬局用コンピュータ１０に送信する。
ステップＳ１９の後、データ生成処理が繰り返される。
【００５０】
［薬剤師用端末３０の処理］
図８は、薬剤師用端末３０が実行するコミュニケーション支援処理の流れを示すフローチャートである。
コミュニケーション支援処理は、薬剤師用端末３０の入力部８１５を介してコミュニケーション支援処理の実行が指示入力されることに対応して開始される。
【００５１】
コミュニケーション支援処理が開始されると、ステップＳ２１において、画面表示部２５４は、プロフィール画面のデータの生成をサーバ２０に要求する。
ステップＳ２２において、プロフィール画面データ受信部２５２は、サーバ２０から送信されるプロフィール画面のデータを受信する。
ステップＳ２３において、画面表示部２５４は、変更点薬情のデータの送信をサーバ２０に要求する。
【００５２】
ステップＳ２４において、変更点データ受信部２５３は、サーバ２０から送信される変更点薬情のデータを受信する。
ステップＳ２５において、画面表示部２５４は、薬剤師のプロフィール画面及び変更点薬情の表示画面を含む各種表示画面を順次ディスプレイに表示する。
ステップＳ２６において、操作受付部２５１は、表示画面に表示されている内容に対して入力される各種操作を受け付ける。
【００５３】
ステップＳ２７において、操作内容送信部２５５は、操作受付部２５１によって受け付けられた表示画面に対する操作の内容をサーバ２０に送信する。
ステップＳ２８において、画面表示部２５４は、コミュニケーション支援処理の終了が指示されたか否かの判定を行う。
コミュニケーション支援処理の終了が指示されていない場合、ステップＳ２８においてＮＯと判定されて、処理はステップＳ２５に移行する。
一方、コミュニケーション支援処理の終了が指示された場合、ステップＳ２８においてＹＥＳと判定されて、コミュニケーション支援処理は終了となる。
【００５４】
［表示画面例］
次に、コミュニケーション支援処理において表示される表示画面例について説明する。
図９は、コミュニケーション支援処理において表示される初期画面の一例を示す模式図である。
図９に示すように、画面表示部２５４は、初めに、患者の氏名、生年月日及び年齢等を表す初期画面を表示する。本実施形態において、初期画面の背景、色合いあるいは表示枠の種類等は、サーバ２０において患者属性に応じて選択されたものとなっている。
【００５５】
図１０は、薬剤師のプロフィール画面の一例を示す模式図である。
図１０に示すように、初期画面に続いて、画面表示部２５４は、薬剤師のプロフィール画面を表示する。薬剤師のプロフィール画面は、固定的に表示されるプロフィールの項目と、サーバ２０において、患者属性に応じて選択された項目とを含むものとなっている。例えば、図１０に示す例では、固定的に表示されるプロフィールの項目として、薬剤師の写真、氏名、年齢、既婚／未婚の区別、地域活動の内容、いま力を入れている分野等が表示されている。また、図１０に示す例では、患者属性に応じて選択された項目として、「趣味：ウォーキング」が表示されている。即ち、図１０のプロフィール画面が提示される患者の患者属性には、「趣味：ウォーキング」のデータが含まれており、薬剤師のプロフィールのデータにおいて、患者の属性情報と共通する「趣味：ウォーキング」の項目が選択され、プロフィール画面に表示されている。
【００５６】
図１１は、アンケート画面の一例を示す模式図である。
図１１に示すように、画面表示部２５４は、表示画面に対する薬剤師の操作に応じて、薬剤の服用に関するアンケート内容を表示し、操作受付部２５１によって、このアンケートの項目に対する選択肢の選択操作が受け付けられる。
【００５７】
図１２は、アンケートに対する回答が行われた状態の一例を示す模式図である。
図１２に示す例では、「おくすりは好きですか？」というアンケートに対して、患者の回答である「飲んで安心したい」という選択肢が選択されている。また、図１２に示す例では、「おくすりを飲み忘れることはありますか？」というアンケートに対して、患者の回答である「たまにある」という選択肢が選択されている。なお、本実施形態においては、アンケートの表示画面等、薬剤師のプロフィール画面以外の表示画面においても、図１２に示すように、内容が簡易なものとされた薬剤師のプロフィールが表示される。
【００５８】
図１３は、変更点薬情の内容を示す表示画面の一例を示す模式図である。
図１３に示すように、画面表示部２５４は、表示画面に対する薬剤師の操作に応じて、変更点薬情の内容を表示する。図１３に示す例では、前回の処方内容として、処方した医師の所属医療機関名、診療科、医師名、処方年月日等と、前回処方された薬剤の一覧とが表示されている。同様に、図１３に示す例では、今回の処方内容として、処方した医師の所属医療機関名、診療科、医師名、処方年月日等と、今回処方された薬剤の一覧とが表示されている。薬剤師は、図１３に示す表示画面を患者に提示しながら、表示画面を操作して、患者にわかり易く処方変更の内容を説明することができる。
【００５９】
図１４は、図１３に示す表示画面において、薬剤師が患者に処方内容を説明するための操作を行った状態の一例を示す模式図である。
図１４に示すように、「Ａ錠」及び「Ｂ錠」については、前回の処方内容と今回の処方内容とで変更がないことから、薬剤師が「Ａ錠」及び「Ｂ錠」の項目を操作すると、同一の処方であることを示す矢印によって、処方に変更がないことが識別して表される。一方、「Ｃ錠」については、前回の処方内容に含まれていたものの、今回の処方内容には含まれていないことから、薬剤師が「Ｃ錠」の項目を操作すると、処方が中止されたことを示す破線の×印と、「×飲まないで持ってきて」というメッセージが「Ｃ錠」の項目に重ねて表示される。さらに、「Ｄカプセル」については、「Ｇカプセル」に処方が切り替えられているものの、処方済みの「Ｄカプセル」を飲み切ってから「Ｇカプセル」に切り替える必要があることから、薬剤師が「Ｄカプセル」の項目を操作すると、「Ｄカプセル」の残薬を飲み切る指示「○飲みきって」というメッセージが「Ｄカプセル」の項目に重ねて表示される。また、「Ｄカプセル」から「Ｇカプセル」に、処方が変更されたことを示す矢印及び「飲みきってから変更」のメッセージによって、処方の変更方法が識別して表される。
【００６０】
また、薬剤師が「Ａ錠」及び「Ｆカプセル」等のように今回の処方内容で処方されている薬剤の項目を操作すると、「◎飲み忘れないでね」というメッセージがこれらの項目に重ねて表示される。さらに、薬剤師が「Ｇカプセル」のように今回の処方内容において、前回の処方内容から変更されたことにより患者にとって利点を有する項目を操作すると、患者にとっての利点（例えば、「今日から○○を食べて良いですよ！」等、患者のクオリティオブライフが向上すること）を示すメッセージがこの項目に重ねて表示される。その他、薬剤の包装や薬剤自体の外観等に変更があった場合に、薬剤の包装や薬剤自体の外観等の変更を患者に通知する「包装（外観）が変わりました」のメッセージ等を表示することも可能である。この場合、前回の処方内容には変更前の薬剤の包装や薬剤自体の外観等を示す写真等の画像が表示され、今回の処方内容には変更後の薬剤の包装や薬剤自体の外観等を示す写真等の画像が表示される。これら「飲まないで持ってきて」、「飲みきって」、「飲み忘れないでね」、「今日から○○を食べて良いですよ！」、「包装（外観）が変わりました」等のメッセージは、前回の処方箋のデータと今回の処方箋のデータとを比較した結果や薬剤師の操作結果に基づいて、自動的に表示することが可能である。
なお、これらのメッセージが示す表示内容としては、上述した例の他、処方内容の変更に伴い、患者に対して報知すべき内容（薬剤師からの注意やアドバイス等）を含めることができる。これにより、患者が処方内容の変更をより強く意識することを促すことができる。
【００６１】
ここで、変更点薬情の内容を示す表示画面において、一覧表示された各項目は、説明のし易さ等の目的のために、前回の処方内容及び今回の処方内容の中で配置を変更することができる。
図１５は、一覧表示された項目の配置が変更される状態の一例を示す模式図である。
図１５に示すように、前回の処方内容における「Ｃ錠」が、今回の処方内容において、同一の効能を有する「Ｆカプセル」に変更されている場合、「Ｃ錠」の位置を「Ｆカプセル」と並ぶ位置に移動して配置を変更することができる。これにより、処方変更の内容を患者にとってよりわかり易く表示することができる。
【００６２】
図１６は、患者に提示されるスケジュールの一例を示す模式図である。
図１６においては、患者の２週間分のスケジュールが表示されている。図１６に示すスケジュールの例では、日にち、曜日、天気予報によって構成されるスケジュール欄において、調剤された薬剤の服用期間を示す「おくすり」の文字を含む帯と、患者の同窓会の日程を示す「同窓会」の文字と、患者の旅行の日程を示す「旅行」の文字が付された両矢印とが入力された状態となっている。また、このスケジュールに対して、薬剤師は、手書き入力やスタンプのデータによる入力を行うことが可能である。例えば、「同窓会」の日程には、薬剤師によって「飲み忘れ注意」のスタンプのデータが入力され、「旅行」の初日には、薬剤師によって「おくすり持っていく」のスタンプのデータが入力されている。また、調剤された薬剤の服用期間の末日には、次回の来局を促す「次回来局」のスタンプのデータが入力されている。「次回来局」のスタンプのデータは、調剤された薬剤の服用期間の末日に自動的に入力したり、薬剤師の判断で入力したりすることが可能である。さらに、図１６に示すスケジュールの例では、スケジュール欄の下端に、薬剤師の出勤予定が示されており、患者は薬剤師の出勤予定に合わせて、調剤薬局を訪れる日にちを決定することができるようになっている。
このようなスケジュールの機能を利用して、薬剤師は、患者の日常生活を十分に考慮した薬剤の服用スケジュールを設定することができる。例えば、頭痛に対する薬剤の処方が行われている患者が、子供の運動会に体調を整えたいという願望がある場合、薬剤師は、運動会の当日に患者の症状が軽減された状態となるよう薬剤の服用スケジュールの指導を行うことができる。
【００６３】
図１７は、スタンプのデータを入力するためのインターフェース画面の一例を示す模式図である。
図１６に示すスケジュールの表示画面において、いずれかの日にちのスケジュール欄を選択した状態で、スケジュールの表示画面最下欄に配置されている「スタンプ」のアイコンを選択する操作（タップ等）を行うと、図１７に示すように、スタンプを入力するためのインターフェース画面が表示される。薬剤師は、いずれかのスタンプを選択する操作を行うことで、目的とする日にちに、目的とするスタンプのデータを入力することができる。
【００６４】
図１８は、手書き文字を入力するためのインターフェース画面の一例を示す模式図である。
図１６に示すスケジュールの表示画面において、いずれかの日にちのスケジュール欄を選択した状態で、スケジュールの表示画面最下欄に配置されている「手書き」のアイコンを選択する操作（タップ等）を行うと、図１８に示すように、手書き文字を入力するためのインターフェース画面が表示される。薬剤師は、手書き文字を入力するための領域に、任意の文字を手書き入力することで、入力された文字が文字認識され、目的とする日にちに、目的とする文字のデータを入力することができる。なお、手書き文字を入力するためのインターフェース画面においては、入力される文字の色を選択可能となっており、色を選択した後に手書き文字を入力することで、目的とする色の文字を入力することができる。
【００６５】
図１９は、新規の予定を登録するためのインターフェース画面の一例を示す模式図である。
図１６に示すスケジュールの表示画面において、スケジュールの表示画面最下欄に配置されている「予定追加」のアイコンを選択する操作（タップ等）を行うと、図１９に示すように、新規の予定を登録するためのインターフェース画面が表示される。薬剤師は、期間、予定の選択肢、両矢印の表示色を選択することで、選択した期間を示す両矢印が選択した色で表示されると共に、予定の選択肢から選択した予定を示す文字を入力することができる。
【００６６】
図２０は、既に入力された予定を編集するためのインターフェース画面の一例を示す模式図である。
図１６に示すスケジュールの表示画面において、既に入力された予定を選択する操作（ダブルタップ等）を行うと、図１９に示すように、予定を編集するためのインターフェース画面が表示される。薬剤師は、期間、予定の選択肢、両矢印の表示色を目的とするものに変更する選択を行うことで、選択した期間を示す両矢印が選択した色で表示されると共に、予定の選択肢から選択した予定を示す文字を入力することができる。
【００６７】
図２１は、任意の相談事項を受け付ける旨のメッセージを表示する画面例を示す模式図である。
図２１に示す画面例では、「気になることはありますか？」、「話しづらいと思いますけど。遠慮なく気軽にきいてくださいね」、「ご家族のことでも」、「おくすり以外のことでも」というメッセージが表示されている。このような画面を提示することで、薬剤師は、患者が気軽に相談できる雰囲気を高めることができる。
【００６８】
［薬剤情報提供文書の具体例］
次に、患者に提供される提供文書の具体例について説明する。
図２２及び図２３は、患者に提供される提供文書（変更点薬情）の一例を示す模式図である。
上述の図１３〜図１５に例示される変更点薬情の内容を示す表示画面において、薬情に印刷する薬剤は、薬剤師が患者との対話等に基づいて適宜選択することができる。
例えば、図２２は、処方変更が行われた薬剤及び処方変更が行われていない薬剤を含む主要な薬剤を印刷対象として選択した場合の例を示している。図２２においては、処方変更が行われていない「Ａ錠」及び「Ｂ錠」、処方が中止された「Ｃ錠」、新規に処方された「Ｆカプセル」、処方が切り替えられた「Ｄカプセル」と「Ｇカプセル」が印刷対象として選択されている。
【００６９】
一方、図２３は、処方変更が行われた薬剤を印刷対象として選択した場合の例を示している。図２３においては、新規に処方された「Ｆカプセル」、処方が切り替えられた「Ｄカプセル」と「Ｇカプセル」、処方が中止された「Ｃ錠」が印刷対象として選択されている。
なお、図２２及び図２３に示すように、処方変更が行われた薬剤のうち、服用に注意を要する薬剤については、処方がなくなったため飲まずに調剤薬局へ持参するよう促す「飲まないで持ってきてね」のマーク、今回処方された薬剤を飲み始める前に、前回処方された薬剤を飲み切ることを促す「飲みきってね」のマーク、今回の処方内容で新しく追加されたため、飲み忘れを注意喚起する「飲み忘れないでね」のマーク、処方内容の変更に伴い、患者のクオリティオブライフが向上することを示す「今日から○○を食べて良いですよ！」のマークが付加されている。その他、薬剤の包装や薬剤自体の外観等に変更があった場合に、薬剤の包装や薬剤自体の外観等の変更を患者に通知する「包装（外観）が変わりました」のマーク等を付加することも可能である。この場合、前回の処方内容には変更前の薬剤の包装や薬剤自体の外観等を示す写真等の画像が印刷され、今回の処方内容には変更後の薬剤の包装や薬剤自体の外観等を示す写真等の画像が印刷される。これら「飲まないで持ってきてね」、「飲みきってね」、「飲み忘れないでね」、「今日から○○を食べて良いですよ！」、「包装（外観）が変わりました」等のマークは、前回の処方箋のデータと今回の処方箋のデータとを比較した結果や薬剤師の操作結果に基づいて、自動的に付加することが可能である。
なお、これらのマークが示す表示内容としては、上述した例の他、処方内容の変更に伴い、患者に対して報知すべき内容（薬剤師からの注意やアドバイス等）を含めることができる。これにより、患者が処方内容の変更をより強く意識することを促すことができる。
【００７０】
図２４は、患者に提供される提供文書（関連文書）の一例を示す模式図である。
図２４に示す関連文書は、患者が家の壁や冷蔵庫等、目に付き易い場所に貼っておき、気になったことを気軽にメモすると共に、次回の来局時に持参することを主な目的として患者に受け渡される書面である。
図２４に示すように、患者に提供される提供文書のうち、所定の関連文書には、図１６に例示される表示画面において、薬剤師が患者に説明した薬剤の服用スケジュール、来局スケジュール、患者の予定等のスケジュールに関する情報が記載される。また、スケジュールにおける各日にちについて、朝、昼、夜、就寝前（寝前）それぞれの服薬のチェック欄が記載される。
【００７１】
また、所定の関連文書において、スケジュール欄の下には、一日における服薬タイミングの目安となる時間が時間軸上に表されている。即ち、図２４に示す例では、朝７時、昼１３時、夜１９時が服薬タイミングの目安として示されている。
また、服薬タイミングの目安を示す時間軸のさらに下には、患者が気になったことをメモする欄、及び、特に服薬に注意を要する薬剤の写真等の画像が印刷されている。
さらに、図２４に示す所定の関連文書の最下欄には、薬剤師から患者へのメッセージ及び調剤薬局の連絡先が印刷されている。
【００７２】
以上のように、本実施形態に係る情報処理システム１では、調剤薬局において薬剤師が患者と対話を行う場合に、薬剤師の所定のプロフィールを表示しながら、薬剤に関する情報を表示することにより、薬剤師に対する患者の興味や親近感を喚起し、より円滑な対話を支援することができる。
また、情報処理システム１では、薬剤師から患者に薬剤についての情報（処方薬剤の変更等）を説明した場合に、その説明内容を反映させた薬剤情報提供文書（薬情）を発行することにより、患者は、服用時においても、薬剤師からの説明内容をより容易に参照することができる。
さらに、情報処理システム１は、処方された薬剤の服用方法等、薬剤師から患者に説明された内容を患者が把握し易い形態の情報（スケジュール等）として提示し、患者における適切な薬剤の服用を支援することができる。
したがって、本実施形態に係る情報処理システム１によれば、薬剤師と患者とのコミュニケーションをより適切に支援することができる。
【００７３】
［変形例１］
上述の実施形態において、印刷データ生成部１５８が提供文書の印刷データを生成する場合、今回の処方内容に含まれる薬剤の用法を説明する画像を薬情に含めることとしてもよい。
例えば、飲み薬である場合には口から薬剤を飲むピクトグラム、貼付剤である場合には身体に薬剤を貼付するピクトグラム、座薬である場合には肛門から薬剤を挿入するピクトグラム、塗り薬である場合には身体に薬剤を塗るピクトグラム等を薬情に印刷することができる。
これにより、患者が用法を誤って薬剤を使用する事態を防ぐことができる。
【００７４】
［変形例２］
上述の実施形態において、今回処方された薬剤を薬剤師用端末３０の表示画面に表示する場合、あるいは、薬情に印刷する場合に、処方された薬剤を表示あるいは印刷する順番を所定の条件に従って、自動的に設定することとしてもよい。
例えば、処方を行った医師が、主要な薬剤として処方したものを最上段に表示し、補助的な薬剤等、相対的な重要度が低いもの程、下段に表示することができる。一例として、頭痛を抑えるために処方された薬剤を最上段に表示し、当該薬剤を服用することによる副作用を抑える薬剤（胃が荒れる副作用を抑えるために胃粘膜を保護する薬剤等）を下段に表示すること等が可能である。
また、例えば、服用タイミングが朝、昼、夜等で異なる薬剤であれば、服用タイミングの順に上段から下段に表示すること等が可能である。
【００７５】
［変形例３］
上述の実施形態において、提供文書は患者に対して提供される場合を例に挙げて説明したが、これに限られない。即ち、提供文書の提供対象としては、患者の他、患者の家族、介護者（介護福祉士等）、看護師等、患者の処方内容を参照する可能性がある各種主体を想定することができる。この場合、提供文書の提供を受ける提供者の知識等に応じて、提供文書で示される情報の内容（難易度や粒度等）を変更することができる。
また、提供文書のうち、薬剤情報提供文書（薬情）と所定の関連文書とを異なる対象者向けのものとすることも可能である。例えば、薬剤情報提供文書（薬情）を患者の介護者に提供し、所定の関連文書を患者に提供することを想定して、提供文書の内容を生成することができる。これにより、提供文書の提供を受ける対象者に応じて、目的に合った内容の提供文書（薬情または関連文書）を生成することができる。
【００７６】
なお、上述の実施形態及び変形例において、患者に提供される提供文書として、変更点薬情や関連文書等、所定の書面の形態のものを例として説明したが、これに限られない。例えば、提供文書を薬袋の形態で患者に提供することとしてもよい。即ち、本実施形態において、印刷データ生成部１５８が生成する印刷データは、薬袋や薬情等、情報を印刷可能な各種媒体に印刷して患者に提供することができる。情報を印刷可能な各種媒体の素材としては、紙、ビニールあるいは電子ペーパー等の種類を問わない。また、印刷データを複数の媒体に分割して印刷することも可能である。例えば、今回の処方箋のデータを印刷した薬情の提供文書と、その提供文書に貼付することにより、全体として処方箋のデータの変更を患者に提示するシール（過去の処方箋のデータ及び処方変更の内容が印刷されたシール等）とによって、１つの媒体を構成することも可能である。
さらに、患者に提供される提供文書を、情報を印刷可能な各種媒体に印刷して患者に提供することの他、電子お薬手帳、スマートフォン等のアプリ（手帳あるいはスケジュール帳等のアプリ）、その他、電子機器において情報を閲覧可能な電子データの形態で出力して患者に提供（例えば、通信あるいは記憶媒体により提供）することとしてもよい。
【００７７】
また、上述の実施形態及び変形例において、患者に提供される提供文書には、前回の処方箋のデータと今回の処方箋のデータ等、過去の１つの処方箋のデータと今回の処方箋のデータとを比較した結果を示す場合を例として説明したが、これに限られない。例えば、過去の複数の処方箋のデータと今回の処方箋のデータとを対象として、これらを比較した結果を提供文書に示すこととしてもよい。一例として、前回及び前々回の処方箋のデータと今回の処方箋のデータとは同一であるものの、３回前の処方箋のデータで変更があった場合、３回前の処方箋のデータと、前回（または前々回）の処方箋のデータと、今回の処方箋のデータとを対象として、これらを比較した結果を提供文書に示すことができる。これにより、前回に限らず、患者に提示することが有用な過去の処方箋のデータを抽出し、今回の処方箋のデータと比較した結果を示すことができる。
なお、比較される処方箋のデータとして、今回の処方箋のデータを含まない場合も可能であり、例えば、前回の処方箋のデータと前々回の処方箋のデータとを比較した結果を示すことも可能である。
【００７８】
また、上述の実施形態及び変形例において、図１３に示す変更点薬情の内容を示す表示画面が表示される場合、初期状態では、成分（または効能）が同一の薬剤が過去の処方箋のデータと今回の処方箋のデータとで自動的に対応付けられて配置した表示とすることができる。この場合、例えば、変更されていない薬剤同士や、同一の成分（または効能）を有する変更前後の薬剤同士が対応付けられて配置した表示となる。そして、このように表示された変更点薬情の内容を示す表示画面に対して、薬剤師がいずれかの薬剤の表示位置を移動させた場合、その移動結果の位置に対応して、予め設定された表示内容を自動的に表示することができる。例えば、過去の処方箋のデータにおける薬剤のいずれかが、今回の処方箋のデータにおいて対応するものがない表示位置に移動された場合、当該薬剤の処方が中止されたことを示すメッセージ（「おくすりがなくなりました」等）を表示することができる。同様に、今回の処方箋のデータにおける薬剤のいずれかが、過去の処方箋のデータにおいて対応するものがない表示位置に移動された場合、当該薬剤の処方が追加されたことを示すメッセージ（「おくすりが追加になりました」等）を表示することができる。これにより、処方された薬剤の変更の内容をよりわかり易く患者に示すことができる。
【００７９】
以上のように、本実施形態に係る情報処理システム１は、薬局用コンピュータ１０と、サーバ２０と、薬剤師用端末３０とを備える。
薬局用コンピュータ１０は、処方箋データ取得部５１と、処方箋データ送信部５２とを備える。
処方箋データ取得部５１は、患者の処方箋のデータを取得する。
処方箋データ送信部５２は、処方箋データ取得部５１によって取得された処方箋のデータをサーバ２０に送信する。
サーバ２０は、変更点取得部１５５と、変更点データ送信部１５６とを備える。
変更点取得部１５５は、薬局用コンピュータ１０から送信された処方箋のデータと、当該処方箋のデータに対応する患者の過去の処方箋のデータとに基づいて、当該患者における過去の処方内容と今回の処方内容とで変更された薬剤に関する変更点薬情を取得する。
変更点データ送信部１５６は、変更点薬情のデータを薬剤師用端末３０に送信する。
薬剤師用端末３０は、画面表示部２５４と、操作受付部２５１とを備える。
画面表示部２５４は、サーバ２０から送信された変更点薬情のデータに基づいて、変更点薬情を含む処方箋に関連する薬剤の情報を患者に提示するための画面を表示する。
操作受付部２５１は、画面表示部２５４によって表示された画面に対して入力された操作を受け付ける。
画面表示部２５４は、画面に対して入力された操作に応じて、薬剤の情報の表示内容を変更する。
このような構成により、情報処理システム１では、薬局において薬剤師が患者と対話を行う場合に、変更点薬情を含む処方箋に関連する薬剤の情報を表示することができると共に、画面に対して入力した操作に応じて、薬剤の情報の表示内容を変更することができる。
したがって、薬剤師と患者とのコミュニケーションをより適切に支援することができる。
【００８０】
薬剤師用端末３０は、操作内容送信部２５５を備える。
操作内容送信部２５５は、操作受付部２５１によって受け付けられた操作の内容をサーバ２０に送信する。
これにより、薬剤師用端末３０において入力された画面に対する操作の内容をサーバ２０において把握することができる。
【００８１】
サーバ２０は、印刷データ生成部１５８と、印刷データ送信部１５９とを備える。
印刷データ生成部１５８は、操作内容送信部２５５によって送信された操作の内容に基づいて、変更点薬情を含む患者への提供文書の出力用データ（印刷データあるいは記憶媒体等への出力のためのデータ）を生成する。
印刷データ送信部１５９は、印刷データ生成部１５８によって生成された出力用データを薬局用コンピュータ１０に送信する。
薬局用コンピュータ１０は、印刷制御部５６を備える。
印刷制御部５６は、サーバ２０から送信された出力用データに基づいて、患者に受け渡す媒体として、提供文書を出力する。
これにより、薬剤師用端末３０において入力された操作内容に応じた提供文書を薬局用コンピュータ１０において出力（印刷あるいは記憶等）することができる。
【００８２】
サーバ２０は、プロフィール画面データ生成部１５３と、プロフィール画面データ送信部１５４とを備える。
プロフィール画面データ生成部１５３は、薬剤師のプロフィールのデータと、患者の属性とに基づいて、患者に提示するための薬剤師のプロフィール画面のデータを生成する。
プロフィール画面データ送信部１５４は、プロフィール画面のデータを薬剤師用端末３０に送信する。
薬剤師用端末３０の画面表示部２５４は、サーバ２０から送信されたプロフィール画面のデータに基づいて、薬剤師のプロフィール画面を表示する。
これにより、患者の属性に応じた薬剤師のプロフィール画面が表示されるため、薬剤師に対する患者の興味や親近感を喚起し、より円滑な薬剤師と患者との対話を支援することができる。
【００８３】
プロフィール画面データ生成部１５３は、薬剤師のプロフィールのデータのうち、患者の属性と共通するデータを選択して、薬剤師のプロフィール画面のデータを生成する。
これにより、薬剤師に対する患者の興味や親近感をより強く喚起することができる。
【００８４】
画面表示部２５４は、患者の処方箋に含まれる薬剤の服用スケジュールを含む当該患者に関するスケジュールの画面を表示する。
操作受付部２５１は、スケジュールの画面に対して入力された操作を受け付ける。
操作内容送信部２５５は、操作受付部２５１によって受け付けられたスケジュールの画面に対する操作の内容をサーバ２０に送信する。
これにより、患者のスケジュールに入力した内容を反映させて、サーバ２０が患者のスケジュールのデータを生成したり、印刷データを生成したりすることが可能となる。
【００８５】
なお、本発明は、上述の実施形態に限定されるものではなく、本発明の目的を達成できる範囲での変形、改良等は本発明に含まれるものである。
例えば、上述の実施形態において、薬局用コンピュータ１０において、処方箋ＤＢ７１あるいは患者属性ＤＢ７２を備えることなく、サーバ２０が一括してデータを管理することとしてもよい。この場合、薬局用コンピュータ１０は、サーバ２０とデータを逐次送受信することにより、サーバ２０の処方箋ＤＢ１７２あるいは患者属性ＤＢ１７３に記憶されたデータを利用して、上述の実施形態と同様の処理を実行することができる。
また、本発明に係る情報処理システム１は、上述の実施形態における各装置によって構成することの他、上述の実施形態における複数の装置の機能を１つの装置にまとめて実装したり、あるいは、１つの装置の機能を複数の装置に分散して実装したりすることが可能である。
【００８６】
上述した一連の処理は、ハードウェアにより実行させることもできるし、ソフトウェアにより実行させることもできる。
換言すると、上述の実施形態における機能的構成は例示に過ぎず、特に限定されない。即ち、上述した一連の処理を全体として実行できる機能が情報処理システム１を構成するいずれかのコンピュータに備えられていれば足り、この機能を実現するためにどのような機能ブロックを用いるのかは特に示した例に限定されない。
また、１つの機能ブロックは、ハードウェア単体で構成してもよいし、ソフトウェア単体で構成してもよいし、それらの組み合わせで構成してもよい。
【００８７】
また、上述した一連の処理を実行するためのプログラムを含む記録媒体は、ユーザにプログラムを提供するために装置本体とは別に配布されるリムーバブルメディアにより構成されるだけでなく、装置本体に予め組み込まれた状態でユーザに提供される記録媒体等で構成される。
【００８８】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【符号の説明】
【００８９】
１  情報処理システム、１０  薬局用コンピュータ、２０  サーバ、３０  薬剤師用端末、４０  ネットワーク、５１  処方箋データ取得部、５２  処方箋データ送信部、５３  患者属性取得部、５４  患者属性送信部、５５  印刷データ受信部、５６  印刷制御部、７１  処方箋データベース、７２  患者属性データベース、１５１  処方箋データ受信部、１５２  患者属性受信部、１５３  プロフィール画面データ生成部、１５４  プロフィール画面データ送信部、１５５  変更点取得部、１５６  変更点データ送信部、１５７  操作内容受信部、１５８  印刷データ生成部、１５９  印刷データ送信部、１７１  薬剤師プロフィールデータベース、１７２  処方箋データベース、１７３  患者属性データベース、１７４  薬剤データベース、１７５  薬局別使用薬剤データベース、１７６  変更点薬情データベース、１７７  スケジュールデータベース、２５１  操作受付部、２５２  プロフィール画面データ受信部、２５３  変更点データ受信部、２５４  画面表示部、２５５  操作内容送信部、８００  情報処理装置、８１１  ＣＰＵ、８１２  ＲＯＭ、８１３  ＲＡＭ、８１４  バス、８１５  入力部、８１６  出力部、８１７  記憶部、８１８  通信部、８１９  ドライブ、８２０  撮像部、８３１  リムーバブルメディア
【図１】
2020064692.tif 000003
【図２】
2020064692.tif 000004
【図３】
2020064692.tif 000005
【図４】
2020064692.tif 000006
【図５】
2020064692.tif 000007
【図６】
2020064692.tif 000008
【図７】
2020064692.tif 000009
【図８】
2020064692.tif 000010
【図９】
2020064692.tif 000011
【図１０】
2020064692.tif 000012
【図１１】
2020064692.tif 000013
【図１２】
2020064692.tif 000014
【図１３】
2020064692.tif 000015
【図１４】
2020064692.tif 000016
【図１５】
2020064692.tif 000017
【図１６】
2020064692.tif 000018
【図１７】
2020064692.tif 000019
【図１８】
2020064692.tif 000020
【図１９】
2020064692.tif 000021
【図２０】
2020064692.tif 000022
【図２１】
2020064692.tif 000023
【図２２】
2020064692.tif 000024
【図２３】
2020064692.tif 000025
【図２４】
2020064692.tif 000026